Podtech/llm-jp-corpus-v4-ja_patent huggingface dataset:
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
被験体において極めて高い感度および特異性を有する、癌の検出方法であって、
前記被験体の血液試料から循環腫瘍細胞（ＣＴＣ）を単離することと、
ＣＴＣ由来のＲＮＡをｃＤＮＡに変換することと、
前記ｃＤＮＡを個々の液滴中にカプセル化することと、
ＣＴＣ由来のｃＤＮＡには特異的に結合するが血中のその他の細胞に由来するｃＤＮＡには結合しないように構成されたレポーター基の存在下、各液滴内で前記ｃＤＮＡ分子を増幅させることと、
レポーター基に陽性である液滴の総数を決定して、被験体における癌の存在を指し示すＣＴＣの存在を判定することと
を含む、方法。
【請求項２】
血液試料中の循環腫瘍細胞（ＣＴＣ）を分析する方法であって、
前記血液試料から、血中に存在するＣＴＣおよびその他の細胞を含む産物を単離することと、
前記産物からリボ核酸（ＲＮＡ）分子を単離することと、
溶液中で単離ＲＮＡからｃＤＮＡ分子を生成させることと、
ｃＤＮＡ分子を個々の液滴中にカプセル化することと、
ＣＴＣ由来のｃＤＮＡには特異的に結合するがその他の細胞に由来するｃＤＮＡには結合しないように構成された１つ以上のレポーター基の存在下、各液滴内でｃＤＮＡ分子を増幅させることと、
前記レポーター基を含有する液滴を液滴中のＣＴＣ由来のｃＤＮＡ分子の存在の指標として検出することと、
検出された液滴中のＣＴＣを分析することと
を含む、方法。
【請求項３】
ＲＮＡを単離する前に前記産物の体積を減らすことをさらに含む、請求項２に記載の方法。
【請求項４】
前記ｃＤＮＡ分子をカプセル化する前にｃＤＮＡ含有溶液から混入物を除去することをさらに含む、請求項２または請求項３に記載の方法。
【請求項５】
前記単離ＲＮＡからｃＤＮＡ分子を生成させることが、前記単離ＲＮＡ分子の逆転写（ＲＴ）ポリメラーゼ連鎖反応（ＰＣＲ）を行うことを含む、請求項２〜４のいずれか１項に記載の方法。
【請求項６】
各液滴内でｃＤＮＡまたはｃＤＮＡ分子を増幅させることが、各液滴の中でＰＣＲを行うことを含む、請求項１〜５のいずれか１項に記載の方法。
【請求項７】
個々のｃＤＮＡ分子をカプセル化することがさらに、ｃＤＮＡ分子と共にＰＣＲ試薬を個々の液滴中にカプセル化することと、非水性液体の少なくとも１０００個の液滴を形成することとを含む、請求項２〜６のいずれか１項に記載の方法。
【請求項８】
前記レポーター基が蛍光標識を含む、請求項２〜７のいずれか１項に記載の方法。
【請求項９】
前記ｃＤＮＡ含有溶液から混入物を除去することが、固相可逆固定法（ＳＰＲＩ）の使用を含む、請求項４〜８のいずれか１項に記載の方法。
【請求項１０】
前記ＳＰＲＩが、
前記溶液中のｃＤＮＡを、前記ｃＤＮＡに特異的に結合するように構成された磁気ビーズで固定することと、
前記溶液から混入物を除去することと、
精製ｃＤＮＡを溶出させることと
を含む、請求項９に記載の方法。
【請求項１１】
前記非水性液体が、１つ以上のフッ化炭素、フッ化炭化水素、鉱油、シリコーンオイルおよび炭化水素油を含む、請求項７〜１０のいずれか１項に記載の方法。
【請求項１２】
各液滴内で前記ｃＤＮＡ分子を増幅させる際に使用するプローブおよびプライマーが、表１中に列挙される選択された癌遺伝子に関係する１つ以上のプローブおよびプライマーに対応する、請求項６〜１１のいずれか１項に記載の方法。
【請求項１３】
前記選択された癌遺伝子が、異なる２つ以上、３つ以上、４つ以上または５つ以上のタイプの癌に対して選択的な１つ以上の遺伝子を含む、請求項１２に記載の方法。
【請求項１４】
前記遺伝子が、乳癌および肺癌；乳癌、肺癌および肝臓癌；乳癌、肺癌および膵臓癌；乳癌、肺癌および前立腺癌；乳癌、肝臓癌およびメラノーマ；乳癌、肺癌およびメラノーマ；乳癌、肺癌、肝臓癌および前立腺癌；乳癌、肺癌、肝臓癌およびメラノーマ；乳癌、肺癌、肝臓癌および膵臓癌；乳癌、肺癌、前立腺癌および膵臓癌；乳癌、肺癌、肝臓癌、メラノーマおよび膵臓癌；または、乳癌、肺癌、肝臓癌、メラノーマ、膵臓癌および前立腺癌に対して選択的である、請求項１３に記載の方法。
【請求項１５】
検出された液滴中の前記ＣＴＣを分析することが、既知の癌を有する患者から経時的に採取された血液試料からのＣＴＣをモニタリングすることと、前記ＣＴＣに対する試験、画像化、または試験と画像化との両方を行って前記患者の予後予測を提供することとを含む、請求項２〜１４のいずれか１項に記載の方法。
【請求項１６】
検出された液滴中の前記ＣＴＣを分析することが、患者の血液試料からの前記ＣＴＣの試験、画像化、または試験と画像化とを行って治療介入に対する前記ＣＴＣの応答の指標を提供することを含む、請求項２〜１４のいずれか１項に記載の方法。
【請求項１７】
検出された液滴中の前記ＣＴＣを分析することが、患者の血液試料の単位体積当たりのＣＴＣの数または濃度を決定して、前記患者における腫瘍負荷の度合いを提供することを含む、請求項２〜１５のいずれか１項に記載の方法。
【請求項１８】
前記患者における腫瘍負荷の前記度合いを用いて療法を選択することをさらに含み、第２時点において前記患者における腫瘍負荷の前記度合いを決定して例えば治療介入に応答した経時的な前記腫瘍負荷をモニタリングすることをさらに含む、請求項１７に記載の方法。
【請求項１９】
血液試料中の循環腫瘍細胞（ＣＴＣ）から得られたｃＤＮＡ分子を増幅および検出するための、表１中に列挙される１つ以上の選択された癌遺伝子に関係する１つ以上のプローブおよびプライマーの使用。
【請求項２０】
既知の癌を有する患者から経時的に得られた多数の血液試料において、増幅させたＣＴＣを分析し、前記ＣＴＣの試験、画像化、または試験と画像化との両方を行って前記患者に予後予測を提供する、請求項１９に記載の使用。
【請求項２１】
増幅させたＣＴＣを分析して、治療介入に対する前記ＣＴＣの応答の指標を提供する、請求項１９に記載の使用。
【請求項２２】
増幅させたＣＴＣを分析して、前記血液試料の取得がなされた患者における腫瘍負荷の度合いを提供する、請求項１９に記載の使用。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
核酸分子であって、
a）分子は、ポリヌクレオチドセンス鎖及びポリヌクレオチドアンチセンス鎖を有し;
b）分子の各鎖は15〜30ヌクレオチドの長さであり;
c）アンチセンス鎖の15〜30ヌクレオチドの連続領域は、p21をコードするmRNA配列に相補的であり;
d）センス鎖の少なくとも一部はアンチセンス鎖の少なくとも一部に相補的であり、分子は15〜30ヌクレオチド長の二重鎖領域を有する。
【請求項２】
上記アンチセンス鎖がUUAAAAUGUCUGACUCCUUmUmU（配列番号4103）であり、上記センス鎖がAAGGAGUCAGACAUUUUAAmUmU（配列番号4075）であり、又はこれら配列に対して化学的に修飾された鎖である［ここで、大文字のA、G、C及びUはそれぞれリボA、リボG、リボC及びリボUを意味し、小文字のa、g、c、tはそれぞれ2'-デオキシ-A、2'-デオキシ-G、2'-デオキシ-C及び2'-デオキシ-Tを意味し、mUは2’-メトキシ-Uを意味する］、請求項１記載の核酸分子。
【請求項３】
上記アンチセンス鎖がAUAUUCAGCAUUGUGGGAGmUmU（配列番号4119）であり、上記センス鎖がCUCCCACAAUGCUGAAUAUmUmU（配列番号4091）であるか、又はこれら配列に対して化学的に修飾された鎖である［ここで、大文字のA、G、C及びUはそれぞれリボA、リボG、リボC及びリボUを意味し、小文字のa、g、c、tはそれぞれ2'-デオキシ-A、2'-デオキシ-G、2'-デオキシ-C及び2'-デオキシ-Tを意味し、mUは2’-メトキシ-Uを意味する］、請求項１記載の核酸分子。
【請求項４】
p21をコードするmRNA配列に相補的であるアンチセンス鎖の15〜30ヌクレオチドの連続領域は、分子の二重鎖領域に位置する、請求項１記載の核酸分子。
【請求項５】
p21をコードするmRNA配列に相補的なアンチセンス鎖の15〜30ヌクレオチドの連続領域が、配列番号１のヒトp21 mRNA配列から選択される、請求項１記載の核酸分子。
【請求項６】
p21をコードするmRNA配列に相補的なアンチセンス鎖の15〜30ヌクレオチドの連続領域は、ヒトp21配列から選択され、ここでヒトp21配列は配列番号１の1位から125位、配列番号１の126位から620位、配列番号１の621位から2175位の群から選択される、請求項１記載の核酸分子。
【請求項７】
上記アンチセンス鎖が、配列番号2033〜4063から選択される配列を含む、請求項１記載の核酸分子。
【請求項８】
上記アンチセンス鎖が、配列番号4092〜4119から選択される配列を含む、請求項１記載の核酸分子。
【請求項９】
上記分子が、配列番号4066及び4094、配列番号4067及び4095、配列番号4068及び4096、配列番号4073及び4101、配列番号4075及び4103、配列番号4080及び4108、配列番号4084及び4112、配列番号4085及び4113、配列番号4088及び4116並びに配列番号4091及び4119の群から選ばれるセンス鎖及びアンチセンス鎖のペアからなる、請求項１記載の核酸分子。
【請求項１０】
分子の各鎖が18〜22ヌクレオチドの長さである、請求項１記載の核酸分子。
【請求項１１】
上記二重鎖領域が19ヌクレオチド長である、請求項１記載の核酸分子。
【請求項１２】
上記ポリヌクレオチドセンス鎖及び上記ポリヌクレオチドアンチセンス鎖が一本鎖として連結され、一端においてループで連結されることで二重鎖領域を形成する、請求項１記載の核酸分子。
【請求項１３】
分子が平滑末端を有する、請求項１記載の核酸分子。
【請求項１４】
分子が1つ以上の3'オーバーハングを有する、請求項１記載の核酸分子。
【請求項１５】
分子が遺伝子サイレンシングに活性なRNAi分子である、請求項１記載の核酸分子。
【請求項１６】
分子が、siRNA、micro-RNA、shRNA、dsRNA、DNA-directed RNA (ddRNA)、Piwi-interacting RNA (piRNA)及び反復関連siRNA (rasiRNA)から選ばれる、遺伝子サイレンシングに活性な分子である、請求項１記載の核酸分子。
【請求項１７】
分子がp21の発現阻害に活性である、請求項１記載の核酸分子。
【請求項１８】
分子が、100pM未満のp21のノックダウンに関するIC50を有する、請求項１記載の核酸分子。
【請求項１９】
請求項１〜１８のいずれか１項記載の１つ以上の核酸分子及び薬学的に許容される担体を含む組成物。
【請求項２０】
担体が脂質分子又はリポソームである、請求項１９記載の組成物。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
相異なる無線アクセス技術(RAT)を使用する共存する無線を有する第1のワイヤレス通信デバイス(WCD)についてのガードインターバルを決定するステップと、
前記第1のWCDについてのスケジューリング済み干渉インターバルの前および後に、前記決定したガードインターバルを適用するステップであって、前記ガードインターバルが、前記第1のWCDについての非伝送時間インターバルを定義する、ステップと
を含む方法。
【請求項２】
前記適用されたガードインターバルが、第2のWCDからの送信のために前記ガードインターバルの間に前記第2のWCDにトリガを送らないように前記第1のWCDに指示する請求項1に記載の方法。
【請求項３】
前記適用されたガードインターバルが、前記ガードインターバルの間に前記第1のWCDから受信したトリガに応答して、前記第1のWCDに送信を送らないように第2のWCDに指示する請求項1に記載の方法。
【請求項４】
前記第1のWCDについての前記スケジューリング済み干渉インターバルと、前記適用されたガードインターバルとに少なくとも部分的に基づいて、前記第1のWCDにおいて第2のWCDから送信を受信するステップ
をさらに含む請求項1に記載の方法。
【請求項５】
前記スケジューリング済み干渉インターバルが第1のRATについてのものであり、
前記第1のWCDにおいて前記第2のWCDから前記送信を受信する前記ステップが、前記第1のRATとは異なる第2のRATを介するものである請求項4に記載の方法。
【請求項６】
前記第1のWCDについての前記ガードインターバルを決定する前記ステップが、
第2のWCDにおいて決定されたデフォルトガードインターバルを受信するステップ、および/または、
前記第1のWCDに特有のローカルガードインターバルを決定するステップ
を含む請求項1に記載の方法。
【請求項７】
前記ローカルガードインターバルを決定する前記ステップが、前記第1のWCDのローカルクロックについてのクロックドリフトに少なくとも部分的に基づく請求項6に記載の方法。
【請求項８】
前記決定したローカルガードインターバルを用いて前記デフォルトガードインターバルを上書きするステップ
をさらに含む請求項6に記載の方法。
【請求項９】
前記第1のWCDについての前記ガードインターバルを決定する前記ステップが、
前記第1のWCDを含むネットワークの複数のWCDについての共通のガードインターバルを決定するステップ
を含む請求項1に記載の方法。
【請求項１０】
前記第1のWCDと第2のWCDとの間の相互クロックドリフトを監視するステップと、
前記相互クロックドリフトおよび前記適用されたガードインターバルに少なくとも部分的に基づいて通信を送るステップであって、前記通信が、前記第1のWCDについての干渉スケジュールに対する更新を含む、ステップと
をさらに含む請求項1に記載の方法。
【請求項１１】
ワイヤレス通信のための装置であって、
相異なる無線アクセス技術(RAT)を使用する共存する無線を有する第1のワイヤレス通信デバイス(WCD)についてのガードインターバルを決定するための手段と、
前記第1のWCDについてのスケジューリング済み干渉インターバルの前および後に、前記決定したガードインターバルを適用するための手段であって、前記ガードインターバルが、前記第1のWCDについての非伝送時間インターバルを定義する、手段と
を備える装置。
【請求項１２】
前記第1のWCDについての前記スケジューリング済み干渉インターバルと、前記適用されたガードインターバルとに少なくとも部分的に基づいて、第2のWCDから送信を受信するための手段
をさらに備える請求項11に記載の装置。
【請求項１３】
前記スケジューリング済み干渉インターバルが第1のRATについてのものであり、
第2のWCDから送信を受信するための手段が、前記第1のRATとは異なる第2のRATを使用する請求項11に記載の装置。
【請求項１４】
前記第1のWCDについての前記ガードインターバルを決定するための前記手段が、
第2のWCDにおいて決定されたデフォルトガードインターバルを受信するための手段と、
前記第1のWCDに特有のローカルガードインターバルを決定するための手段と
を備える請求項11に記載の装置。
【請求項１５】
コンピュータプログラムであって、コンピュータシステムが前記コンピュータプログラムを実行するとき、請求項１〜１０のいずれか一項に記載の方法を前記コンピュータシステムに実行させる命令を有するコンピュータプログラム。
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
トランシーバであって、
複数のレーザグループ内に配置された複数のレーザを備え、所与のレーザグループはＮ個のレーザを含み、前記トランシーバはさらに、
前記複数のレーザに結合された複数の送信機と、
前記複数のレーザと光学的に結合された複数のポートとを備え、所与のポートは前記所与のレーザグループと光学的に結合されており、
前記複数のポートは、複数の光ファイバおよび関連する複数の光コネクタと光学的に結合されており、前記トランシーバはさらに、
前記複数のポートと光学的に結合された複数の受信機と、
前記複数のレーザ、前記複数の送信機、および前記複数の受信機と電気的に結合された制御論理とを備え、動作の際に、関連する光ファイバが切断されたことおよび断線したことのうちの１つが信号損失によって示された安全でないポートについて、前記制御論理は、
前記安全でないポートに関連するレーザグループ内の１個のレーザを作動可能にし、
前記レーザグループ内の残りの複数のレーザを作動不能にし、
前記１個のレーザに関連する送信機に対して、閾値よりも小さな低送信パワーを使って前記安全でないポートで光信号を送信するように命令し、前記１個のレーザは、他の複数のレーザグループ内の作動可能な複数のレーザとは異なるタイミングで送信を行なう、トランシーバ。
【請求項２】
動作の際に、有効な伝達情報が受信された安全なポートについて、前記制御論理は、
前記安全なポートに関連するレーザグループ内の複数のレーザを作動可能にし、
前記レーザグループ内の前記複数のレーザに関連する複数の送信機に対して、前記閾値よりも大きな前記複数のレーザの通常の送信パワーを使って前記安全なポートで光信号を送信するように命令する、請求項１に記載のトランシーバ。
【請求項３】
前記レーザは、垂直共振器面発光レーザ（ＶＣＳＥＬ）、およびシリコン光変調器のうちの１つを含む、請求項１または２に記載のトランシーバ。
【請求項４】
前記トランシーバは、前記ポートについて、国際電気標準会議（ＩＥＣ）６０８２５−１規格によって規定されたクラス１条件を維持する、請求項１〜３のいずれか１項に記載のトランシーバ。
【請求項５】
前記閾値は、国際電気標準会議（ＩＥＣ）６０８２５−１規格によって規定されたクラス１条件に合致する、請求項１〜４のいずれか１項に記載のトランシーバ。
【請求項６】
前記１個のレーザは、前記光信号を周期的に送信する、請求項１〜５のいずれか１項に記載のトランシーバ。
【請求項７】
各レーザグループは、他のレーザグループとは独立して制御される、請求項１〜６のいずれか１項に記載のトランシーバ。
【請求項８】
前記Ｎ個のレーザは、Ｎ個の独立したチャネルに対応している、請求項１〜７のいずれか１項に記載のトランシーバ。
【請求項９】
Ｎは、４、１２、および１６のうちの１つである、請求項１〜７のいずれか１項に記載のトランシーバ。
【請求項１０】
前記有効な伝達情報は、承認、連続波信号、およびデータのうちの１つを含む、請求項１〜９のいずれか１項に記載のトランシーバ。
【請求項１１】
前記信号損失を検出することは、ある期間において前記有効な伝達情報が無いことを含む、請求項１〜１０のいずれか１項に記載のトランシーバ。
【請求項１２】
前記Ｎ個のグループは、Ｎ個の光モジュールに関連している、請求項１〜１１のいずれか１項に記載のトランシーバ。
【請求項１３】
システムであって、
プロセッサと、
前記プロセッサに結合されたメモリとを備え、前記メモリは、動作の際に前記プロセッサによって実行されるプログラムモジュールを格納し、前記システムはさらに、
請求項１〜１２のいずれか１項に記載のトランシーバを備える、システム。
【請求項１４】
複数のレーザグループおよび関連する複数のポートを含むトランシーバについて、国際電気標準会議（ＩＥＣ）６０８２５−１規格によって規定されたクラス１条件を保証するための方法であって、前記方法は、
安全でないポートにおける信号損失が、当該安全でないポートに関連する光ファイバが切断されたことおよび断線したことのうちの１つを示すとき、
前記安全でないポートに関連するレーザグループ内の１個のレーザを作動可能にするステップと、
前記レーザグループ内の残りの複数のレーザを作動不能にするステップと、
前記１個のレーザに関連する送信機に対して、閾値よりも小さな低送信パワーを使って前記安全でないポートで光信号を送信するように命令するステップとを含み、前記１個のレーザは、他の複数のレーザグループ内の作動可能な複数のレーザとは異なるタイミングで送信を行なう、方法。
【手続補正２】
【補正対象書類名】明細書
【補正対象項目名】０００６
【補正方法】変更
【補正の内容】
【０００６】
概要
本開示の一実施形態はトランシーバを提供する。このトランシーバは、複数のレーザグループ内に配置された複数のレーザを備え、所与のレーザグループはＮ個のレーザを含む。トランシーバはさらに、複数のレーザに結合された複数の送信機を備える。さらに、トランシーバは複数のレーザと光学的に結合された複数のポートを備え、所与のポートは所与のレーザグループと光学的に結合されている。複数のポートは、複数の光ファイバおよび関連する複数の光コネクタ（たとえば、光学レンズ）と光学的に結合され得る。トランシーバはさらに、複数のポートと光学的に結合された複数の受信機を備える。さらに、トランシーバは、複数のレーザ、複数の送信機、および複数の受信機と電気的に結合された制御論理を備える。動作の際に、関連する光ファイバが切断（disconnect）または断線したことが信号損失によって示された安全でないポートについて、制御論理は、当該安全でないポートに関連するレーザグループ内の１個のレーザを作動可能にし、当該レーザグループ内の残りの複数のレーザを作動不能にし、上記１個のレーザに関連する送信機に対して、閾値よりも小さな低送信パワーを使って上記安全でないポートで光信号を送信するように命令し、上記１個のレーザは、他の複数のレーザグループ内の作動可能な複数のレーザとは異なるタイミングで送信を行なう。代替的には、有効な伝達情報が受信された安全なポートについて、制御論理は、当該安全なポートに関連するレーザグループ内の複数のレーザを作動可能にし、当該レーザグループ内の複数のレーザに関連する複数の送信機に対して、閾値よりも大きな当該複数のレーザの通常の送信パワーを使って上記安全なポートで光信号を送信するように命令する。
【手続補正３】
【補正対象書類名】明細書
【補正対象項目名】０００９
【補正方法】変更
【補正の内容】
【０００９】
さらに、上記１個のレーザは、光信号を周期的に送信し得る。
加えて、各レーザグループは、他のレーザグループとは独立して制御され得る。
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
ＥＥＨを含む異性体の混合物が、（−）−アンブロックスまたは（−）−アンブロックスを含む混合物に酵素的に変換され、
酵素的な変換が、（−）−アンブロックスの産生にとって好適な反応条件下において、配列番号１、配列番号２、配列番号３または配列番号４と少なくとも７０％の同一性を有するポリペプチド配列を有するスクアレン−ホペンシクラーゼ／ホモファルネソール−アンブロックスシクラーゼ（SHC／HAC）酵素を用いて行われ、
ＥＥＨを含む異性体の混合物が、それぞれ［ＥＥ：ＥＺ］、［ＥＥ：ＺＥ］、ならびに［ＥＥ：ＥＺ：ＺＥ］ともまた呼称される、［（３Ｅ，７Ｅ）および［（３Ｚ，７Ｅ）］ならびに／または［（３Ｅ，７Ｅ）および（３Ｅ，７Ｚ）］ならびに／または［（３Ｚ，７Ｅ）、（３Ｅ，７Ｅ）、および（３Ｅ，７Ｚ）］からなる群の１種以上から選択される、
（−）−アンブロックスまたは（−）−アンブロックスを含む混合物を調製するためのプロセス。
【請求項２】
プロセスが、配列番号１、配列番号２、配列番号３または配列番号４からなる群から選択されるSHC／HAC酵素ポリペプチド配列を用いて行われる、請求項１に記載のプロセス。
【請求項３】
プロセスが、SHC／HAC酵素を産生する組み換えホスト細胞を用いる、請求項１または２に記載のプロセス。
【請求項４】
SHC／HAC酵素をコードするヌクレオチド配列が、配列番号１６５、１６６、１６７、１６８または１６９からなる群から選択される、請求項２または３に記載のプロセス。
【請求項５】
ホモファルネソールから（−）−アンブロックスへの変換が３０℃から６０℃の範囲内の温度で約４〜８の範囲内のｐＨにおいて起こる、請求項１〜４のいずれか一項に記載のプロセス。
【請求項６】
ホモファルネソールから（−）−アンブロックスへの変換が、表２４または表２４ａに記されている野生型SHC／HACまたはSHC／HAC誘導体酵素のための反応条件の１種以上を用いて、好ましくは５．０から６．２のｐＨ範囲において、好ましくは３５℃の温度で起こる、請求項１〜５のいずれか一項に記載のプロセス。
【請求項７】
（−）−アンブロックスが、副生成物（ＩＩ）、（ＩＶ）、および／または（ＩＩＩ）の少なくとも１種以上との混合物として産生される、請求項１〜６のいずれか一項に記載のプロセス。
【請求項８】
（−）−アンブロックスが有機溶媒もしくは水蒸気抽出／蒸留ステップまたは濾過を用いて生物変換反応混合物から単離される、請求項１〜７のいずれか一項に記載のプロセス。
【請求項９】
（−）−アンブロックスが有機溶媒もしくは水蒸気抽出／蒸留ステップを用いて生物変換反応混合物の固相から単離される、請求項１〜８のいずれか一項に記載のプロセス。
【請求項１０】
（−）−アンブロックスが有機溶媒、好ましくはエタノールまたはトルエンを用いて反応混合物から単離される、請求項８または９に記載のプロセス。
【請求項１１】
（−）−アンブロックスが有機溶媒を用いて選択的に結晶化される、請求項８〜１０のいずれか一項に記載のプロセス。
【請求項１２】
（−）−アンブロックスが副生成物（ＩＩ）、（ＩＶ）、および／または（ＩＩＩ）を実質的に含まない、請求項１１に記載のプロセス。
【請求項１３】
約１２５〜２００ｇ／ｌの濃度範囲内の（−）−アンブロックスが産生される、請求項１〜１２のいずれか一項に記載のプロセス。
【請求項１４】
（−）−アンブロックスが約０．１から約０．５ｎｇ／ｌの匂い閾値を有し、
ＥＥＨを含む異性体の混合物が、それぞれ［ＥＥ：ＥＺ］ならびに［ＥＥ：ＥＺ：ＺＥ］ともまた呼称される、［（３Ｅ，７Ｅ）および［（３Ｚ，７Ｅ）］ならびに／または［（３Ｚ，７Ｅ）、（３Ｅ，７Ｅ）、および（３Ｅ，７Ｚ）］からなる群の１種以上から選択される、
請求項１〜１３のいずれか一項に記載の方法によって得られ得る（−）−アンブロックスを含む反応生成物。
【請求項１５】
固体形態の、好ましくは非晶質または結晶形態の請求項１４に記載の（−）−アンブロックス。
【請求項１６】
請求項１４または１５に記載の（−）−アンブロックスを製品に組み込むことを含む、（−）−アンブロックスを含有する製品を作るためのプロセス。
【請求項１７】
製品がフレグランス製品、化粧品製品、清掃製品、洗剤製品、または石鹸製品である、請求項１６に記載のプロセス。
【請求項１８】
請求項１４または１５に記載の（−）−アンブロックスを含む、フレグランスまたは化粧品または消費者ケア製品。
【請求項１９】
請求項１４または１５に記載の（−）−アンブロックスと１種以上の追加の構成成分とを含む、フレグランスまたは化粧品または消費者ケア組成物。
【請求項２０】
フレグランスまたは化粧品または消費者製品、例えばファブリックケア、トイレタリー、美容、および／または清掃製品の一部としての、請求項１４または１５に記載の（−）−アンブロックスの使用。
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
基材を染色するための方法であって、
ａ．染料産生微生物を、染色される基材の存在下において、かつ、所定の閾値濃度を上回る炭素源を含む増殖培地の存在下において、微生物が基材と接触して培養されるように培養する工程と、
ｂ．培養された微生物を溶解して、染料を放出させ、基材と接触させる工程と、
ｃ．放出された染料を、基材上に固定する工程とを含む、
方法。
【請求項２】
炭素源の所定の閾値濃度が、染料含有微生物の基材への移行率、及び、その後の基材への染料固定の品質を最適化するために選択される炭素源に応じて、１０％(v/v)〜９０％(v/v)である、請求項１記載の方法。
【請求項３】
溶解工程及び固定工程が、１つのプロセスにおいて行われる、請求項１又は２記載の方法。
【請求項４】
溶解工程及び固定工程が、１０１℃を上回る熱に、基材及び微生物を曝すことにより行われる、請求項１〜３のいずれか一項記載の方法。
【請求項５】
温度、二酸化炭素濃度、ｐＨ、及び攪拌頻度から選択される１つ以上の培養パラメータが、染料の産生、基材への移行率、及び基材への固定品質を最適化するために選択される、請求項１〜４のいずれか一項記載の方法。
【請求項６】
工程１ａの前に、染料産生微生物を、染色される基材の不存在下において、最初に培養する工程を、更に含む、請求項１〜５のいずれか一項記載の方法。
【請求項７】
工程１ｃの前後において、染色された基材を洗浄して、廃棄夾雑物を除去する工程を、更に含む、請求項１〜６のいずれか一項記載の方法。
【請求項８】
２種類以上の染料産生微生物種が、同時に使用される、請求項１〜７のいずれか一項記載の方法。
【請求項９】
２種類以上の染料が、１種類以上の微生物により産生される、請求項１〜８のいずれか一項記載の方法。
【請求項１０】
外因的に加えられた染料を含む更なる染料が、溶解工程及び固定工程中に存在する、請求項１〜９のいずれか一項記載の方法。
【請求項１１】
基材が、天然、合成、半合成、及び混合基材から選択される、請求項１〜１０のいずれか一項記載の方法。
【請求項１２】
天然基材が、絹、綿、麻、ウール、及び革から選択される、請求項１１記載の方法。
【請求項１３】
半合成基材が、レーヨン及びアセテートから選択される、請求項１１記載の方法。
【請求項１４】
合成基材が、ポリエステル、ナイロン、アクリル、エラスチン、ポリビニル、及び類似する石油化学派生品から選択される、請求項１１記載の方法。
【請求項１５】
染料産生微生物が、生物由来色素、色素タンパク質、蛍光タンパク質、及び生物発光タンパク質から選択される染料を産生する、請求項１〜１４のいずれか一項記載の方法。
【請求項１６】
微生物が、真核生物である、請求項１〜１５のいずれか一項記載の方法。
【請求項１７】
真核生物が、植物、藻類、真菌類、虫、及び節足動物から選択される、請求項１６記載の方法。
【請求項１８】
微生物が、原核生物である、請求項１〜１５のいずれか一項記載の方法。
【請求項１９】
原核生物が、古細菌及び真正細菌から選択される、請求項１８記載の方法。
【請求項２０】
原核生物が、バチルス菌種（Ｂａｃｉｌｌｕｓ  ｓｐｐ．）及びクロストリジウム菌種（Ｃｌｏｓｔｒｉｄｉｕｍ  ｓｐｐ．）から選択されるグラム陽性細菌である、請求項１８記載の方法。
【請求項２１】
原核生物が、エシェリキア菌種（Ｅｓｃｈｅｒｉｃｈｉａ  ｓｐｐ．）、シュードモナス菌種（Ｐｓｅｕｄｏｍｏｎａｓ  ｓｐｐ．）、クロモバクテリウム菌種（Ｃｈｒｏｍｏｂａｃｔｅｒｉｕｍ  ｓｐｐ．）、ヤンシノバクター菌種（Ｊａｎｔｈｉｎｏｂａｃｔｅｒ  ｓｐｐ．）から選択されるグラム陰性細菌である、請求項１８記載の方法。
【請求項２２】
微生物が、遺伝子改変されている、請求項１〜２１のいずれか一項記載の方法。
【請求項２３】
培養工程が、インキュベーター、振とうインキュベーター、発酵槽、及びバイオ発酵槽から選択される増殖環境において行われる、請求項１〜２２のいずれか一項記載の方法。
【請求項２４】
培養工程が、１℃〜１５０℃の温度で行われる、請求項１〜２３のいずれか一項記載の方法。
【請求項２５】
培養工程が、二酸化炭素濃度０％〜１０％で行われる、請求項１〜２４のいずれか一項記載の方法。
【請求項２６】
培養工程が、ｐＨ１．５〜９．５で行われる、請求項１〜２５のいずれか一項記載の方法。
【請求項２７】
増殖培地が、ルリア−ベルターニ培地（ＬＢ）、テリフィック培地（ＴＢ）、スーパーオプティマル培地（ＳＯＢ培地）、カタボライト抑制スーパーオプティマル培地（ＳＯＣ）、イーストエキストラクトペプトンデキストロース（ＹＰＤ）から選択される、請求項１〜２６のいずれか一項記載の方法。
【請求項２８】
炭素源が、デキストロース、グルコース、スクロース、ジャガイモデンプン、クエン酸塩、ラクトース、マルトース、グリセロール、キサントース、及びアラビノースから選択される、請求項１〜２７のいずれか一項記載の方法。
【請求項２９】
炭素源が、グリセロールである、請求項１〜２８のいずれか一項記載の方法。
【請求項３０】
炭素源が、１０％(v/v)〜９０％(v/v)の濃度範囲で存在する、請求項１〜２９のいずれか一項記載の方法。
【請求項３１】
培養された染料産生微生物を溶解して、染料を放出させ、基材と接触させることと、放出された染料を基材上に固定することとを含む、
染料産生微生物内に含有される染料を使用する、請求項１〜３のいずれか一項記載の基材を染色するための方法。
【請求項３２】
熱が、直接的な熱又は間接的な熱から選択される、請求項４記載の方法。
【請求項３３】
直接的な熱が、適切な容器中の基材及び微生物を、炎、ホットプレート、又は電気ヒーターに曝すことを含み、又は、間接的な熱が、基材及び微生物を、オートクレーブもしくはマイクロ波で加熱することを含む、請求項３２記載の方法。
【請求項３４】
炭素源が、１５％(v/v)〜６０％(v/v)の濃度範囲で存在する、請求項３０記載の方法。
【請求項３５】
炭素源が、２０％(v/v)〜４０％(v/v)の濃度範囲で存在する、請求項３０記載の方法。
【請求項３６】
炭素源の閾値濃度が、増殖中の微生物の形状の歪みを促進するように選択される、請求項１〜３０、３４又は３５のいずれか一項記載の方法。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
操作されたキメラ抗原レセプターポリヌクレオチドであって、ポリヌクレオチドは、シグナルペプチド、抗原認識ドメイン、ヒンジ領域、膜貫通ドメイン、少なくとも1つの共刺激ドメイン、およびシグナル伝達ドメインを含むキメラ抗原レセプターポリペプチドをコードし、抗原認識ドメインが、CD2、CD3、CD4、CD5、CD7、CD8及びCD52からなる群より選択される、操作されたキメラ抗原レセプターポリヌクレオチド。
【請求項２】
場合により、CD4陽性T白血病細胞またはCD4陽性リンパ腫細胞についてアッセイすることを含む、CD4陽性T細胞白血病細胞またはCD4陽性T細胞リンパ腫細胞の数を減少させる方法で使用するための、ポリヌクレオチドを含む有効量の操作された細胞であって、ポリヌクレオチドは、シグナルペプチド、CD4抗原認識ドメイン、ヒンジ領域、膜貫通ドメイン、少なくとも1つの共刺激ドメイン、およびシグナル伝達ドメインを含むキメラ抗原レセプターポリペプチドをコードし、前記細胞はCD4陽性T細胞白血病細胞またはCD4陽性T細胞リンパ腫細胞と接触させるために適している、細胞。
【請求項３】
前記操作された細胞が、CD4 T細胞、CD8 T細胞、ナチュラルキラー細胞及びNKT細胞からなる群より選択される、請求項２に記載のCD4陽性T細胞白血病細胞またはCD4陽性T細胞リンパ腫細胞の数を減少させる方法で使用するための、ポリヌクレオチドを含む有効量の操作された細胞。
【請求項４】
場合により、細胞増殖性疾患に関連するCD4もしくはCD5についてアッセイすることを含む、それを必要とする患者においてCD4もしくはCD5関連細胞増殖性疾患を治療する方法において使用するための、ポリヌクレオチドを含む治療上有効量の操作された細胞であって、ポリヌクレオチドは、シグナルペプチド、CD4もしくはCD5抗原認識ドメイン、ヒンジ領域、膜貫通ドメイン、少なくとも1つの共刺激ドメイン、およびシグナル伝達ドメインを含むキメラ抗原レセプターポリペプチドをコードする、細胞。
【請求項５】
細胞増殖性疾患がCD4関連細胞増殖性疾患である、請求項４に記載の、それを必要とする患者においてCD4もしくはCD5関連細胞増殖性疾患を治療する方法において使用するための、ポリヌクレオチドを含む治療上有効量の操作された細胞。
【請求項６】
CD4関連細胞増殖性疾患がCD4陽性白血病及びCD4陽性リンパ腫からなる群より選択される、請求項５に記載の、それを必要とする患者においてCD4もしくはCD5関連細胞増殖性疾患を治療する方法において使用するための、ポリヌクレオチドを含む治療上有効量の操作された細胞。
【請求項７】
前記細胞増殖性疾患がCD4陽性急性骨髄性白血病である、請求項６に記載の、CD4もしくはCD5関連細胞増殖性疾患を治療する方法において使用するための、ポリヌクレオチドを含む治療上有効量の操作された細胞。
【請求項８】
前記細胞急性骨髄性白血病が急性骨髄性白血病M4又は急性骨髄性白血病M5である、請求項７に記載の、CD4もしくはCD5関連細胞増殖性疾患を治療する方法において使用するための、ポリヌクレオチドを含む治療上有効量の操作された細胞。
【請求項９】
細胞増殖性疾患がCD5関連細胞増殖性疾患である、請求項４に記載の、それを必要とする患者においてCD4もしくはCD5関連細胞増殖性疾患を治療する方法において使用するための、ポリヌクレオチドを含む治療上有効量の操作された細胞。
【請求項１０】
CD5関連細胞増殖性疾患が、胸腺癌、非ホジキンリンパ腫、びまん性大細胞リンパ腫、小リンパ球性リンパ腫（SLL）、T細胞新生物、末梢T細胞リンパ腫、マントル細胞リンパ腫、T細胞急性リンパ球性白血病（T-ALL）、および慢性リンパ性白血病（CLL）からなる群から選択される、請求項９に記載の、それを必要とする患者においてCD4もしくはCD5関連細胞増殖性疾患を治療する方法において使用するための、ポリヌクレオチドを含む治療上有効量の操作された細胞。
【請求項１１】
前記操作された細胞が、CD4 T細胞、CD8 T細胞、ナチュラルキラー細胞及びNKT細胞からなる群より選択される、請求項５又は９に記載の、それを必要とする患者においてCD4もしくはCD5関連細胞増殖性疾患を治療する方法において使用するための、ポリヌクレオチドを含む治療上有効量の操作された細胞。
【請求項１２】
ポリヌクレオチドが配列番号4又は配列番号5を含む、請求項４に記載の、CD4もしくはCD5関連細胞増殖性疾患を治療する方法において使用するための、ポリヌクレオチドを含む治療上有効量の操作された細胞。
【請求項１３】
方法が、化学療法、放射線、免疫抑制剤、および抗ウイルス療法の一つ以上と組み合わせた投与をさらに含む、請求項４に記載の、CD4もしくはCD5関連細胞増殖性疾患を治療する方法において使用するための、ポリヌクレオチドを含む治療上有効量の操作された細胞。
【請求項１４】
ポリヌクレオチドが配列番号6又は配列番号7を含む、請求項９に記載の、CD4もしくはCD5関連細胞増殖性疾患を治療する方法において使用するための、ポリヌクレオチドを含む治療上有効量の操作された細胞。
【請求項１５】
方法が、化学療法、放射線、免疫抑制剤、および抗ウイルス療法の一つ以上と組み合わせた投与をさらに含む、請求項９に記載の、CD4もしくはCD5関連細胞増殖性疾患を治療する方法において使用するための、ポリヌクレオチドを含む治療上有効量の操作された細胞。
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
操作可能な連結において、
ａ）Ｃａｓ９、不活性Ｃａｓ９もしくはＣｐｆ１またはその一部をコードする第１のポリヌクレオチド配列と、
ｂ）インテグラーゼ、レコンビナーゼもしくはトランスポサーゼまたはその一部をコードする第２のポリヌクレオチド配列と、
ｃ）核酸リンカーをコードする第３のポリヌクレオチド配列と
を含む核酸コンストラクトにおいて、
前記第１のポリヌクレオチド配列が５’および３’末端を含み、かつ前記第２のポリヌクレオチド配列が５’および３’末端を含み、および前記第１のポリヌクレオチドの前記３’末端が前記核酸リンカーによって前記第２のポリヌクレオチドの前記５’末端に連結され、かつ前記第１および第２のポリヌクレオチドが、操作可能な連結にあり、細胞または生物において融合タンパク質として発現されることが可能であることを特徴とする、核酸コンストラクト。
【請求項２】
請求項１に記載の核酸コンストラクトにおいて、
前記第１のポリヌクレオチド配列が配列番号１、３、５、７、９、１１、１３、２７〜４６、４９、５６もしくは６８の何れか１つ、またはそれと少なくとも８０％、少なくとも８５％、少なくとも９０％、少なくとも９５％もしくは少なくとも９９％の同一性を有する配列を含み、かつ／または、
前記Ｃａｓ９、不活性Ｃａｓ９またはＣｐｆ１が配列番号２、４、６、８、１０、１２、１４、５０、５２、６９、７２〜７８もしくは８６〜９２の何れか１つ、またはそれと少なくとも８０％、少なくとも８５％、少なくとも９０％、少なくとも９５％もしくは少なくとも９９％の同一性を有する配列を含み、かつ／または、
前記第２のポリヌクレオチド配列が配列番号１５、１７、１９、２１、２３、４７、５５、６２、６４、６６、７０もしくは７９の何れか１つ、またはそれと少なくとも８０％、少なくとも８５％、少なくとも９０％、少なくとも９５％もしくは少なくとも９９％の同一性を有する配列を含み、かつ／または、
前記インテグラーゼ、レコンビナーゼまたはトランスポサーゼが配列番号１６、１８、２０、２２、２４、２５、２６、４８、６３、６５、６７、７１もしくは８０の何れか１つ、またはそれと少なくとも８０％、少なくとも８５％、少なくとも９０％、少なくとも９５％もしくは少なくとも９９％の同一性を有する配列を含むことを特徴とする、核酸コンストラクト。
【請求項３】
生物において、請求項１に記載の核酸コンストラクトを含むことを特徴とする、生物。
【請求項４】
請求項３に記載の生物において、前記生物が、修飾されたゲノムを有し、前記融合タンパク質を発現することを特徴とする、生物。
【請求項５】
請求項１に記載の核酸コンストラクトによりコードされる融合タンパク質において、
ａ）触媒能のないＣａｓ９、Ｃａｓ９、ＴＡＬＥタンパク質、ジンクフィンガータンパク質またはＣｐｆ１タンパク質である第１のタンパク質であって、標的ＤＮＡ配列を標的とする第１のタンパク質と、
ｂ）インテグラーゼ、レコンビナーゼまたはトランスポサーゼである第２のタンパク質と、
ｃ）前記第１のタンパク質を前記第２のタンパク質に連結するリンカーと
を含むことを特徴とする、融合タンパク質。
【請求項６】
請求項５に記載の融合タンパク質において、
前記インテグラーゼがＨＩＶ１インテグラーゼまたはレンチウイルスインテグラーゼであり、かつ／または、
前記リンカー配列が４〜８アミノ酸長であり、かつ／または、
前記第１のタンパク質が触媒能のないＣａｓ９の群から選択され、かつ／または、
前記リンカー配列が４〜８アミノ酸長であり、かつ／または、
前記第１のタンパク質がＴＡＬＥタンパク質であり、かつ／または、
前記第１のタンパク質がジンクフィンガータンパク質であることを特徴とする、融合タンパク質。
【請求項７】
請求項６に記載の融合タンパク質において、前記標的ＤＮＡ配列が１６〜２４塩基対長であることを特徴とする、融合タンパク質。
【請求項８】
請求項７に記載の融合タンパク質において、前記第１のタンパク質がＣａｓ９または触媒能のないＣａｓ９であることを特徴とする、融合タンパク質。
【請求項９】
ａ）標的ＤＮＡ配列に結合するように改変されている、Ｃａｓ９、触媒能のないＣａｓ９、ＴＡＬＥタンパク質、ジンクフィンガータンパク質またはＣｐｆ１タンパク質である第１のタンパク質に対する第１のコード配列と、
ｂ）インテグラーゼ、レコンビナーゼまたはトランスポサーゼである第２のタンパク質に対する第２のコード配列と、
ｃ）前記第１のタンパク質と前記第２のタンパク質との間でアミノ酸リンカーを形成する、前記第１のコード配列と前記第２のコード配列との間のＤＮＡ配列と、
ｄ）任意選択により、インテグラーゼによって認識されるａｔｔ部位によって取り囲まれる発現された関心のあるＤＮＡ配列および任意選択により１つ以上のガイドＲＮＡと
を含むヌクレオチドベクターにおいて、前記第１のタンパク質が、決定されたＤＮＡ配列を標的とし、前記第１のタンパク質が前記アミノ酸リンカー配列によって前記第２のタンパク質に連結されることを特徴とする、ヌクレオチドベクター。
【請求項１０】
請求項５に記載の融合タンパク質において、前記第２のタンパク質がレコンビナーゼであることを特徴とする、融合タンパク質。
【請求項１１】
請求項１０に記載の融合タンパク質において、前記レコンビナーゼがＣｒｅレコンビナーゼまたはその修飾型であり、前記修飾型のＣｒｅレコンビナーゼが構成的なレコンビナーゼ活性を有することを特徴とする、融合タンパク質。
【請求項１２】
請求項９に記載のベクターにおいて、細胞中で発現される逆転写酵素遺伝子をさらに含むことを特徴とする、ベクター。
【請求項１３】
ＤＮＡ結合タンパク質／インテグラーゼ融合物の精製タンパク質と、約１５〜約１００塩基対長のＲＮＡとを含む組成物において、前記ＤＮＡ結合タンパク質が、ゲノム中の標的化ＤＮＡ配列に対して改変されているＣａｓ９、Ｃｐｆ１、ＴＡＬＥＮおよびジンクフィンガータンパク質から選択され、前記インテグラーゼがＨＩＶインテグラーゼ、レンチウイルスインテグラーゼ、アデノウイルスインテグラーゼ、レトロウイルスインテグラーゼまたはＭＭＴＶインテグラーゼであることを特徴とする、組成物。
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
ａ）式Ｒ１−ＣＯＯ−Ｒ２の２つ又は３つのエステル、
ｂ）式Ｒ３−ＣＯ−Ｒ４の２つ又は３つのケトン、及び
ｃ）式Ｒ５−ＣＨＯの２つ又は３つのアルデヒド
を含み、式中Ｒ１、Ｒ３、及びＲ４は、Ｃ１〜５直鎖アルキル基であり、Ｒ２は、Ｃ１〜５直鎖又は分枝アルキル基であり、及びＲ５は、Ｃ２〜９直鎖アルキル基である、動物クリープフィード組成物に香味をつけるための、香味混合物の使用。
【請求項２】
前記香味混合物が式Ｒ１−ＣＯＯ−Ｒ２の３つのエステルを含む、請求項１に記載の使用。
【請求項３】
前記香味混合物が式Ｒ５−ＣＨＯの３つのアルデヒドを含む、請求項１又は２に記載の使用。
【請求項４】
前記香味混合物が式Ｒ３−ＣＯ−Ｒ４の２つのケトンを含む、請求項１〜３のいずれかに記載の使用。
【請求項５】
前記香味混合物が、
ａ）式Ｒ１−ＣＯＯ−Ｒ２の３つのエステル、
ｂ）式Ｒ３−ＣＯ−Ｒ４の２つのケトン、及び
ｃ）式Ｒ５−ＣＨＯの３つのアルデヒド
を含む、請求項１〜４のいずれかに記載の使用。
【請求項６】
前記エステルが、酢酸エチル、酢酸ｎ−プロピル、メチルプロピオナート、エチルプロピオナート、メチルブタノアート、ｎ−プロピルブタノアート、メチルペンタノアート、エチルペンタノアート、メチルヘキサノアート、及びエチルヘキサノアートからなる群から選択される、請求項１〜５のいずれかに記載の使用。
【請求項７】
前記香味混合物中の式Ｒ１−ＣＯＯ−Ｒ２のエステルの全比率が、２０〜４５重量％の範囲で含まれる、請求項１〜６のいずれかに記載の使用。
【請求項８】
前記香味混合物中の式Ｒ３−ＣＯ−Ｒ４のケトンの全比率が、５〜１８重量％の範囲で含まれる、請求項１〜７のいずれかに記載の使用。
【請求項９】
前記香味混合物中の式Ｒ５−ＣＨＯのアルデヒドの全比率が、４０〜７５重量％の範囲で含まれる、請求項１〜８のいずれかに記載の使用。
【請求項１０】
前記ケトンが、２−ブタノン及び２−ペンタノンである、請求項１〜９のいずれかに記載の使用。
【請求項１１】
前記香味混合物が、前記アルデヒドのペンタナール、ヘキサナール及びヘプタナールを含む、請求項１〜１０のいずれかに記載の使用。
【請求項１２】
前記香味混合物が、
ａ）前記エステルの酢酸エチル、メチルブタノアート及びメチルヘキサノアート、
ｂ）前記ケトンの２−ブタノン及び３−ペンタノン、並びに
ｃ）前記アルデヒドのペンタナール、ヘキサナール及びヘプタナール
を含む、請求項１に記載の使用。
【請求項１３】
前記香味混合物が、
ａ）全比率が３０〜３５％の前記エステル、
ｂ）全比率が８〜１３％の前記ケトン、及び
ｃ）全比率が５０〜６５％の前記アルデヒド
を含み、前記百分率は重量比で表され、これらすべての百分率が、合計で前記香味混合物の１００％以下となる、請求項１２に記載の使用。
【請求項１４】
前記香味混合物が、
−  ７〜１０％の範囲の比率で含まれる酢酸エチル、
−  １７〜２０％の範囲の比率で含まれるメチルブタノアート、
−  ３〜６％の範囲の比率で含まれるメチルヘキサノアート、
−  ６〜１０％の範囲の比率で含まれる２−ブタノン、
−  ２〜５％の範囲の比率で含まれる２−ペンタノン、
−  ３５〜４０％の範囲の比率で含まれるペンタナール、
−  １２〜１８％の範囲の比率で含まれるヘキサナール、及び
−  ２〜５％の範囲の比率で含まれるヘプタナールを含み、
−  前記百分率は、重量比で表され、
−  これらすべての百分率が、合計で前記香味混合物の１００％以下となる、請求項１２に記載の使用。
【請求項１５】
前記香味混合物が人工混合物である、請求項１〜１４のいずれかに記載の使用。
【請求項１６】
前記香味混合物が、請求項１〜１５のいずれかに記載の香味混合物及び溶媒を含む液体香味組成物である、請求項１〜１５のいずれかに記載の使用。
【請求項１７】
前記香味混合物が、請求項１〜１５のいずれかに記載の香味混合物及び不活性な固体の担体を含む固体香味組成物である、請求項１〜１５のいずれかに記載の使用。
【請求項１８】
前記動物クリープフィード組成物が、豚又は牛のためのクリープフィードである請求項１〜１７のいずれかに記載の使用。
【請求項１９】
請求項１〜１７のいずれかに記載の香味混合物を動物クリープフィード組成物に添加する、動物クリープフィード組成物の香味づけの方法。
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
マイクロＲＮＡ（ｍｉＲＮＡ）ライブラリーにおける望ましくないｍｉＲＮＡの存在量を低下させるのに用いるブロッキング核酸であって、
（ａ）前記ブロッキング核酸の５’末端及び前記ブロッキング核酸の３’末端と、
（ｂ）ストリンジェントな条件下で前記望ましくないｍｉＲＮＡの第１の末端の結合領域とアニールする、前記ブロッキング核酸の前記５’末端または前記ブロッキング核酸の前記３’末端のうちの一方の一本鎖相補領域であって、前記第１の末端が、前記望ましくないｍｉＲＮＡの前記５’末端または前記３’末端のいずれかであり、前記相補領域が末端を有する、一本鎖相補領域と、
（ｃ）ライゲーション末端を有するヘアピンループ形成領域であって、前記相補領域に隣接するヘアピンループ形成領域と、
（ｄ）前記相補領域の前記末端に連結される第１のブロッキング部分であって、リガーゼの基質としての役割を果たすことができない、第１のブロッキング部分と、を含む、ブロッキング核酸。
【請求項２】
マイクロＲＮＡ（ｍｉＲＮＡ）ライブラリーにおける望ましくないｍｉＲＮＡの存在量を低下させるのに用いるブロッキング核酸であって、
（ａ）３’末端及び５’末端を有するＣｒｉｃｋ鎖と、
（ｂ）ストリンジェントな条件下で前記望ましくないｍｉＲＮＡの第１の末端の結合領域とアニールする、前記Ｃｒｉｃｋ鎖の前記５’末端または前記Ｃｒｉｃｋ鎖の前記３’末端のうちの一方の一本鎖相補領域であって、前記第１の末端が、前記望ましくないｍｉＲＮＡの前記５’末端または前記３’末端である、一本鎖相補領域と、
（ｃ）前記相補領域に隣接する前記Ｃｒｉｃｋ鎖上の二本鎖領域であって、前記二本鎖領域が前記Ｃｒｉｃｋ鎖にアニールされるＷａｔｓｏｎ鎖を含み、前記Ｗａｔｓｏｎ鎖が５’末端及び３’末端を有する、二本鎖領域と、
（ｄ）前記Ｃｒｉｃｋ鎖の前記３’末端に連結される第１のブロッキング部分であって、リガーゼの基質としての役割を果たすことができない、第１のブロッキング部分と、
（ｅ）前記Ｃｒｉｃｋ鎖の前記５’末端に連結される第２のブロッキング部分であって、リガーゼの基質としての役割を果たすことができない、第２のブロッキング部分と、
（ｆ）前記相補領域が前記Ｃｒｉｃｋ鎖の前記３’末端にある場合、前記Ｗａｔｓｏｎ鎖の前記３’末端に連結される、または前記相補領域が前記Ｃｒｉｃｋ鎖の前記５’末端にある場合、前記Ｗａｔｓｏｎ鎖の前記５’末端に連結される第３のブロッキング部分であって、リガーゼの基質としての役割を果たすことができない、第３のブロッキング部分と、
（ｇ）前記Ｗａｔｓｏｎ鎖上のライゲーション末端であって、前記相補領域が前記Ｃｒｉｃｋ鎖の前記５’末端にある場合、前記Ｗａｔｓｏｎ鎖の前記３’末端に、または前記相補領域が前記Ｃｒｉｃｋ鎖の前記３’末端にある場合、前記Ｗａｔｓｏｎ鎖の前記５’末端に位置する、ライゲーション末端と、を含む、ブロッキング核酸。
【請求項３】
望ましくないマイクロＲＮＡ（ｍｉＲＮＡ）が逆転写ポリメラーゼ連鎖反応（ＲＴ−ＰＣＲ）に関与することを防止する方法であって、前記望ましくないｍｉＲＮＡが、５’末端及び３’末端を有し、前記方法が、請求項１または２に記載のブロッキング核酸の前記相補領域を、前記望ましくないｍｉＲＮＡの前記第１の末端の結合部位にアニールすることを含み、前記望ましくないｍｉＲＮＡの前記第１の末端が、前記５’末端または前記３’末端のうちの一方である、方法。
【請求項４】
アニーリングが、ストリンジェントな条件下で行われる、請求項３に記載の方法。
【請求項５】
アニーリングが、最大限ストリンジェントな条件下で行われる、請求項３に記載の方法。
【請求項６】
前記ブロッキング核酸を、前記望ましくないｍｉＲＮＡの前記第１の末端にライゲーションすることを含む、請求項３に記載の方法。
【請求項７】
前記望ましくないｍｉＲＮＡの前記第１の末端が、前記５’末端であり、前記相補領域が、前記ブロッキング核酸の前記５’末端にある、請求項３に記載の方法。
【請求項８】
前記望ましくないｍｉＲＮＡの前記第１の末端が、前記３’末端であり、前記相補領域が、前記ブロッキング核酸の前記３’末端にある、請求項３に記載の方法。
【請求項９】
前記ブロッキング核酸を、前記望ましくないｍｉＲＮＡの前記第１の末端にライゲーションすることを含み、前記ライゲーションステップが、ＤＮＡ／ＲＮＡリガーゼを用いて行われる、請求項３に記載の方法。
【請求項１０】
前記望ましくないｍｉＲＮＡが、ｍｉｒ−１６、ｍｉｒ−１５ａ、ｍｉｒ−１５ｂ、ｍｉｒ−１９５、ｍｉｒ−４２４、ｍｉｒ−４９７、ｍｉｒ−４８６、ｍｉｒ−４５１、及びｍｉｒ−２６からなる群から選択される、請求項３に記載の方法。